(57)【要約】【課題】自立式スタンドを持たない自転車を駐輪することができ、かつ、持ち運びが可能な駐輪ラックに着脱が容易な表示機能を備えた装置を提供する。【解決手段】自転車用携帯駐輪ラック１０の表示装置４０は、自転車のサドル６０を引っ掛けて支持可能な駐輪ラック用支持棒１１と、駐輪ラック用支持棒１１の左右に配置された折り畳み可能な脚部２０と、駐輪ラック用支持棒１１に取付けられた表示体固定手段３０と、表示体固定手段３０に取付けられた表示装置４０と、を備える。表示体固定手段３０は、駐輪ラック用支持棒１１の両側または片側の端部に接続されている。【選択図】図１
2019043536.tif 000002
【特許請求の範囲】
【請求項１】
自転車のサドルを引っ掛けて支持可能な駐輪ラック用支持棒と、
前記駐輪ラック用支持棒の左右に配置された折り畳み可能な脚部と、
前記駐輪ラック用支持棒に取付けられた表示体固定手段と、
前記表示体固定手段に取付けられた表示装置と、
を備え、
前記表示体固定手段は、前記駐輪ラック用支持棒の両側または片側の端部に接続されていることを特徴とする、自転車用携帯駐輪ラックの表示装置。
【請求項２】
前記表示装置は、表示体と表示体取付用支持棒と、
を備え、
前記表示体取付用支持棒の上方は、前記表示体を支持し、前記表示体取付用支持棒の下方は、前記表示体固定手段に接続されていることを特徴とする、請求項１に記載の自転車用携帯駐輪ラックの表示装置。
【請求項３】
前記表示体は、前記表示体固定手段を介して前記駐輪ラック用支持棒の上方に水平に設置され、前記駐輪ラック用支持棒と前記表示体との間には空間が設けられていることを特徴とする、請求項２に記載の自転車用携帯駐輪ラックの表示装置。
【請求項４】
前記表示体固定手段は、一方の開口部から前記駐輪ラック用支持棒の両側または片側の端部を挿入し、底面から内部へ進入可能なボルトで前記駐輪ラック用支持棒を固定することを特徴とする、請求項１〜３のいずれか１項に記載の自転車用携帯駐輪ラックの表示装置。
【請求項５】
前記表示体固定手段は、前記表示体取付用支持棒を受ける凹溝または孔を備え、前記凹溝の開口側または前記孔から前記表示体取付用支持棒を挿入し、ボルトまたはネジで前記表示体取付用支持棒を固定することを特徴とする、請求項１〜４のいずれか１項に記載の自転車用携帯駐輪ラックの表示装置。
【請求項６】
前記凹溝のボルト受け位置の中心は、前記凹溝の前記表示体取付用支持棒が圧接する中心より前記凹溝の開口側に設けられていることを特徴とする、請求項５に記載の自転車用携帯駐輪ラックの表示装置。
【請求項７】
前記表示体は、両側または片側の端部に前記表示体取付用支持棒を取付ける下面が開口し、上面が閉口した袋状の筒部を備えた横幕または幟旗であり、前記表示体取付用支持棒を前記筒部の上面まで挿入し、前記横幕または前記幟旗を張設することを特徴とする、請求項２または３記載の自転車用携帯駐輪ラックの表示装置。
【請求項８】
前記表示体取付用支持棒に挿入した前記筒部は、弾性変形可能な固定金具が取付けられていることを特徴とする、請求項７に記載の自転車用携帯駐輪ラックの表示装置。
【請求項９】
前記固定金具は、断面が略Ｃ字形であり、弾性変形する一対の係合片と、一対の前記係合片を連結する凸部とからなり、前記固定金具を前記筒部から着脱するときに一対の前記係合片の弾性変形を前記凸部が調整することを特徴とする、請求項８に記載の自転車用携帯駐輪ラックの表示装置。
【発明の詳細な説明】
【技術分野】
【０００１】
本発明は、ロードバイク等の自立式スタンドを持たない自転車を駐輪することができ、かつ、持ち運びが可能な駐輪ラックに着脱が容易な表示機能を備えた自転車用携帯駐輪ラックの表示装置に関するものである。
【背景技術】
【０００２】
特許文献１には、固定された自転車整理台にボルト・ナットを介して挟持した広告板が開示されている。
【先行技術文献】
【特許文献】
【０００３】
【特許文献１】実用新案出願公開昭５６−１２６６８３号公報
【発明の概要】
【発明が解決しようとする課題】
【０００４】
しかし、上記したような自転車整理台の広告板では、自転車の駐輪場が移動式でないため、使用できる場所が限定され、かつ、ボルト・ナットを介して挟持する広告板であるため、広告板の設置および交換に手間がかかる等の問題があった。
【０００５】
そこで、本発明は、自立式スタンドを持たない自転車を駐輪することができ、かつ、持ち運びが可能な駐輪ラックに着脱が容易な表示機能を備えた装置を提供することを課題とする。
【課題を解決するための手段】
【０００６】
本発明は、上記した課題を解決するためになされたものであり、以下を特徴とする。
請求項１に記載の発明は、自転車のサドルを引っ掛けて支持可能な駐輪ラック用支持棒と、前記駐輪ラック用支持棒の左右に配置された折り畳み可能な脚部と、前記駐輪ラック用支持棒に取付けられた表示体固定手段と、前記表示体固定手段に取付けられた表示装置と、を備え、前記表示体固定手段は、前記駐輪ラック用支持棒の両側または片側の端部に接続されていることを特徴とする。
【０００７】
請求項２に記載の発明は、請求項１に記載の発明の特徴点に加え、前記表示装置は、表示体と表示体取付用支持棒と、を備え、前記表示体取付用支持棒の上方は、前記表示体を支持し、前記表示体取付用支持棒の下方は、前記表示体固定手段に接続されていることを特徴とする。
【０００８】
請求項３に記載の発明は、請求項２に記載の発明の特徴点に加え、前記表示体は、前記表示体固定手段を介して前記駐輪ラック用支持棒の上方に水平に設置され、前記駐輪ラック用支持棒と前記表示体との間には空間が設けられていることを特徴とする。
【０００９】
請求項４に記載の発明は、請求項１〜３のいずれかに記載の発明の特徴点に加え、前記表示体固定手段は、一方の開口部から前記駐輪ラック用支持棒の両側または片側の端部を挿入し、底面から内部へ進入可能なボルトで前記駐輪ラック用支持棒を固定することを特徴とする。
【００１０】
請求項５に記載の発明は、請求項１〜４のいずれかに記載の発明の特徴点に加え、前記表示体固定手段は、前記表示体取付用支持棒を受ける凹溝または孔を備え、前記凹溝の開口側または前記孔から前記表示体取付用支持棒を挿入し、ボルトまたはネジで前記表示体取付用支持棒を固定することを特徴とする。
【００１１】
請求項６に記載の発明は、請求項５に記載の発明の特徴点に加え、前記凹溝のボルト受け位置の中心は、前記凹溝の前記表示体取付用支持棒が圧接する中心より前記凹溝の開口側に設けられていることを特徴とする。
【００１２】
請求項７に記載の発明は、請求項２または３記載の発明の特徴点に加え、前記表示体は、両側または片側の端部に前記表示体取付用支持棒を取付ける下面が開口し、上面が閉口した袋状の筒部を備えた横幕または幟旗であり、前記表示体取付用支持棒を前記筒部の上面まで挿入し、前記横幕または前記幟旗を張設することを特徴とする。
【００１３】
請求項８に記載の発明は、請求項７に記載の発明の特徴点に加え、前記表示体取付用支持棒に挿入した前記筒部は、弾性変形可能な固定金具が取付けられていることを特徴とする。
【００１４】
請求項９に記載の発明は、請求項８に記載の発明の特徴点に加え、前記固定金具は、断面が略Ｃ字形であり、弾性変形する一対の係合片と、一対の前記係合片を連結する凸部とからなり、前記固定金具を前記筒部から着脱するときに一対の前記係合片の弾性変形を前記凸部が調整することを特徴とする。
【発明の効果】
【００１５】
請求項１に記載の発明は上記の通りであり、自転車のサドルを引っ掛けて支持可能な駐輪ラック用支持棒と、駐輪ラック用支持棒の左右に配置された折り畳み可能な脚部と、駐輪ラック用支持棒に取付けられた表示体固定手段と、表示体固定手段に取付けられた表示装置と、を備えているため、ロードバイク等の自立式スタンドを持たない自転車を駐輪することができ、かつ、折り畳めることで持ち運びが可能な自転車用携帯駐輪ラックに表示装置が取付けられるので、自転車競技会場や商業施設等での広告や案内表示といった看板装置を兼ね備え、使い勝手が良い。また、表示体固定手段は、駐輪ラック用支持棒の両側または片側の端部に接続されているため、両側での支持または片側のみでの支持等、様々な表示体に対応ができ、使い勝手が良い。
【００１６】
請求項２に記載の発明は上記の通りであり、表示装置は、表示体と表示体取付用支持棒と、を備え、表示体取付用支持棒の上方は、表示体を支持し、表示体取付用支持棒の下方は、表示体固定手段に接続されているため、少ない部品点数で表示体が支持できるので、コストが抑えられる。
【００１７】
請求項３に記載の発明は上記の通りであり、表示体は、表示体固定手段を介して駐輪ラック用支持棒の上方に水平に設置され、駐輪ラック用支持棒と表示体との間には空間が設けられているため、自転車のサドルを駐輪ラック用支持棒に引っ掛けて駐輪をしても、表示体に自転車のサドルが接触しないだけの空間があるので、自転車の駐輪を妨げず、使い勝手が良い。
【００１８】
請求項４に記載の発明は上記の通りであり、表示体固定手段は、一方の開口部から駐輪ラック用支持棒の両側または片側の端部を挿入し、底面から内部へ進入可能なボルトで駐輪ラック用支持棒を固定するため、挿入した駐輪ラック用支持棒にボルトを押し付けるだけで強固に固定ができるので作業性が良い。また、底面からボルトで固定するので、外部から視認し難い位置で固定するため、意匠性が良く、かつ、駐輪した自転車に接触し難いので、接触による傷を防ぐことができる。
【００１９】
請求項５に記載の発明は上記の通りであり、表示体固定手段は、表示体取付用支持棒を受ける凹溝または孔を備え、凹溝の開口側または孔から表示体取付用支持棒を挿入し、ボルトで表示体取付用支持棒を固定するため、ボルトを表示体取付用支持棒に押し付けるだけで固定ができるので作業性が良い。また、凹溝の開口側または孔から表示体取付用支持棒の着脱が容易に行え、様々な表示体へ迅速に変更することができ、利便性がある。また、ネジで表示体取付用支持棒を強固に固定することもできる。これにより、挿入した表示体取付用支持棒が表示体固定手段から外れ難く、強風等による表示体取付用支持棒の脱落、破損を防ぐ。
【００２０】
請求項６に記載の発明は上記の通りであり、凹溝のボルト受け位置の中心は、凹溝の表示体取付用支持棒が圧接する中心より凹溝の開口側に設けられているため、ボルトを締め込んで表示体取付用支持棒が圧接する時に、ボルト受け位置の中心から表示体取付用支持棒が圧接する中心側へ入り込む作用によって、凹溝の開口側より内部への進入と圧接ができ、表示体取付用支持棒が表示体固定手段から外れ難く、強風等による表示体取付用支持棒の脱落、破損を防ぐ。
【００２１】
請求項７に記載の発明は上記の通りであり、表示体は、両側または片側の端部に表示体取付用支持棒を取付ける下面が開口し、上面が閉口した袋状の筒部を備えた横幕または幟旗であり、表示体取付用支持棒を筒部の上面まで挿入しているため、筒部の上面に当接するだけで表示体の位置決めができ、作業性が良い。また、表示体取付用支持棒を挿入するだけで横幕または幟旗を張設するため、様々な表示体へ迅速に変更することができ、利便性がある。また、筒部の上面から表示体取付用支持棒が突き抜けないので、表示体がずり落ちて駐輪ラック用支持棒と表示体との空間が狭くなることを防止でき、自転車の駐輪を妨げず、使い勝手が良い。
【００２２】
請求項８に記載の発明は上記の通りであり、表示体取付用支持棒に挿入した筒部は、弾性変形可能な固定金具が取付けられているため、強固な表示体の取付けができ、強風等による表示体の脱落、破損を防ぐ。
【００２３】
請求項９に記載の発明は上記の通りであり、固定金具は、断面が略Ｃ字形であり、弾性変形する一対の係合片と、一対の係合片を連結する凸部とからなり、固定金具を筒部から着脱するときに一対の係合片の弾性変形を凸部が調整するため、凸部の拡開方向への助長により着脱が容易に行え、様々な表示体へ迅速に変更することができ、利便性がある。また、スムーズな着脱により、固定金具と接触する筒部が摩擦等による破損を抑止することができる。
【図面の簡単な説明】
【００２４】
【図１】使用状態の自転車用携帯駐輪ラックの表示装置を示す外観図である。
【図２】図１の部分拡大分解斜視図である。
【図３】図１のＡ方向から見た部分拡大斜視図である。
【図４】表示体固定手段に係る（ａ）支持棒取付金具の断面図、（ｂ）表示体取付金具の断面図である。
【図５】表示体固定手段の変形例１を示す（ａ）支持棒取付金具の断面図、（ｂ）表示体取付金具の断面図である。
【図６】自転車用携帯駐輪ラックの表示装置を示す（ａ）図４の表示体固定手段を取付けた状態の部分拡大図、（ｂ）図５の表示体固定手段を取付けた状態の部分拡大図である。
【図７】表示体固定手段の変形例２を示す（ａ）平面図、（ｂ）側面図、（ｃ）斜視図である。
【図８】自転車用携帯駐輪ラックの表示装置を示す、図７の表示体固定手段を取付けた状態の部分拡大図である。
【図９】駐輪ラック用支持棒に自転車のサドルを引っ掛けた状態を示す外観図である。
【図１０】表示体を固定する金具に係る（ａ）固定金具を取付ける状態を示す図、（ｂ）固定金具の断面図である。
【図１１】表示体の変形例１を示す外観図である（駐輪ラック用支持棒を縮めた状態）。
【図１２】表示体の変形例２を示す外観図である（駐輪ラック用支持棒を伸ばした状態）。
【発明を実施するための形態】
【００２５】
本発明の実施形態について、図を参照しつつ説明する。
【００２６】
本実施形態に係る自転車用携帯駐輪ラック１０は、例えば、ロードバイク等の自立式スタンドを持たない自転車を駐輪するためのものであり、携帯可能に折り畳めるようになっている。この自転車用携帯駐輪ラック１０は、図１、図２、図９に示すように、自転車のサドル６０を引っ掛けて支持可能な駐輪ラック用支持棒１１と、駐輪ラック用支持棒１１の左右に配置された折り畳み可能な脚部２０と、を備えて構成され、その自転車用携帯駐輪ラック１０の駐輪ラック用支持棒１１に表示体固定手段３０を介して表示装置４０が取付けられ、駐輪と看板装置を兼ね備えて構成される。
【００２７】
駐輪ラック用支持棒１１は、図１、図９に示すように、自転車のサドル６０を引っ掛けて支持可能な棒状の部材である。本実施形態に係る駐輪ラック用支持棒１１は、左右の外棒１２と中央の内棒１３の３本が長手方向に伸縮可能に組み合わせて構成されている。具体的には、左右の外棒１２の内部に内棒１３が挿入されており、収縮時には図１１に示すように、左右の外棒１２が付き合わせた状態となっている。このとき、左右の外棒１２の内部に内棒１３が収容されており、内棒１３は外部に露出しない。この状態から操作ボタン（符号なし）を押しながら左右の外棒１２のいずれか、またはどちらも離れる方向に引っ張ると、図１に示すように、左右の外棒１２の間に内棒１３が露出した状態となり、駐輪ラック用支持棒１１が伸長するようになっている。逆に、駐輪ラック用支持棒１１を収縮するときは、操作ボタン（符号なし）を押しながら左右の外棒１２のいずれか、またはどちらも縮める方向に押すと、図１１に示すように、左右の外棒１２が突き合わせた状態となり、駐輪ラック用支持棒１１が収縮するようになっている。これにより、引っ掛ける自転車の台数によって、長さを調整することができる。なお、駐輪ラック用支持棒１１は１本で構成しても良い。これにより、自転車を少数台駐輪して使用する（収縮を必要としない）場合は、部品および加工数が減るため、コストが抑えられる。
【００２８】
脚部２０は、駐輪ラック用支持棒１１の左右に配置されており、図１、図２に示すように、使用時に駐輪ラック用支持棒１１を水平に支持するためのものである。左右の脚部２０は、駐輪ラック用支持棒１１の上方に水平な状態まで折り畳み可能に接続されている（図示なし）。具体的には、駐輪ラック用金具２３によって、駐輪ラック用支持棒１１に対して回動可能に接続されており、駐輪ラック用金具２３が回転することで脚部２０も一体的に駐輪ラック用支持棒１１に対して回動し、駐輪ラック用支持棒１１の上方に水平な状態に折り畳めるように構成されている。なお、折り畳み状態から使用状態へと変形するときも、上述の手順を実行すれば良い。
【００２９】
この脚部２０は、図１に示すように、略Ｖ字形に開くことができる一対の棒状部材２１と、一対の棒状部材２１の間に架設可能な開き防止機構２２と、を備える。具体的には、開き防止機構２２によって、一対の棒状部材２１を所定の角度で開いた状態に維持するように構成されている。なお、上記に示すように、脚部２０を折り畳む際は、駐輪ラック用金具２３を回動する前に、一対の棒状部材２１が平行になるように閉じてから折り畳む。
【００３０】
表示装置４０は、図１に示すように、自転車用携帯駐輪ラック１０に後述の表示体固定手段３０を介して看板装置を兼ね備えるためのものである。本実施形態に係る表示装置４０は、図２、図３に示すように、表示体４１と表示体取付用支持棒４２と、を備えて構成され、表示体取付用支持棒４２の上方に表示体４１の端部に設けた袋状の筒部４３を挿入して表示体４１を張設し、表示体取付用支持棒４２の下方は、表示体固定手段３０の凹溝３７ａまたは孔３７ｂにボルト３５ｂまたはネジ３５ｂによって自転車用携帯駐輪ラック１０に接続されている。
【００３１】
表示体取付用支持棒４２は、図１、図２に示すように、中空の丸パイプ形状であり、表示体取付用支持棒４２の上方は表示体４１を支持するだけの長さと、下方は表示体固定手段３０に支持されるだけの長さと、その中間に駐輪ラック用支持棒１１から上方に設けた空間Ｓで必要とする長さと、を備えている。言い換えると、表示体取付用支持棒４２だけで表示体４１の支持および表示体固定手段３０に支持されるので、少ない部品で自転車用携帯駐輪ラック１０に表示体４１を張設することができる。なお、図１２に示すように、後述の表示体取付用支持棒４２’の長さを自転車用携帯駐輪ラック１０の設置面（地面）に接触するだけの長さに伸長しても良く、これにより表示体４１の支持と自転車用携帯駐輪ラック１０の支持する脚を兼ね備えるため、強風等による表示体取付用支持棒４２の脱落、破損をさらに防ぐことができる。
【００３２】
表示体４１は、図１、図２に示すように、表示体取付用支持棒４２を介して自転車用携帯駐輪ラック１０に取付けた表示装置４０の表示部である。本実施形態に係る表示体４１は、横長の表示体４１（横幕）の両端部に設けた下面が開口し、上面が閉口した袋状の筒部４３に、表示体取付用支持棒４２を筒部４３の下面から挿入すると、表示体４１は、駐輪ラック用支持棒１１から空間Ｓを設けた上方に駐輪ラック用支持棒１１と水平な状態で設置される。言い換えると、空間Ｓが設けてあることで、自転車のサドル６０を駐輪ラック用支持棒１１に引っ掛けて駐輪をしても、表示体４１にサドル６０が接触しない位置に表示体４１が設置されているため、自転車の駐輪を妨げる恐れがない。また、筒部４３が袋状になっているため、挿入する表示体取付用支持棒４２の先端を筒部４３の上面に当接するだけで位置決めができる。さらに、閉口された筒部４３の上面から表示体取付用支持棒４２が突き抜けることがないので、表示体４１がずり落ちて駐輪ラック用支持棒１１と表示体４１との空間Ｓが狭くなることを防止できる。なお、表示体取付用支持棒４２は自転車の駐輪を妨げない空間Ｓを設けて設置されていれば良いため、図１１に示すように、表示体４１の高さを変更しても良い。また、空間Ｓを広くして設置あるいは駐輪ラック用支持棒１１を収縮した（内棒１３が外部に露出していない）狭い状態にすることにより、様々な使用用途に対しての案内表示がおこなえる。なお、上述した実施形態は上記と同じ部材には同一の符号を付して重複する説明は省略する。さらに、表示体４１の形状は上記した実施形態のものに限らず、種々のものが考えられる。
【００３３】
例えば、図１２に示すように、幟旗の表示体４１’を取付けても良い。この例では、表示体取付用支持棒４２’を任意の高さ位置で表示体固定手段３０に押し付けられて固定され、表示体４１’の筒部４３’を表示体取付用支持棒４２’に挿入されているので、表示装置４０’と自転車用携帯駐輪ラック１０を兼ね備えることができる。なお、表示体固定手段３０に固定する表示体取付用支持棒４２’の位置が変更できるため、高さの変更も容易にでき、利便性が良い。また、表示体４１’は、駐輪ラック用支持棒１１の両側や片側のみの設置でも良い。なお、横幕の表示体４１と組み合わせて設置しても良い。なお、上述した実施形態は上記と同じ部材には同一の符号を付して重複する説明は省略する。
【００３４】
また、図１０（ａ）、図１０（ｂ）に示すように、表示体４１と表示体取付用支持棒４２を強固に固定するために固定金具４４を取付けても良い。本実施形態に係る固定金具４４は、断面が略Ｃ字形であり、一対の係合片４５ａと、この一対の係合片４５ａを連結する凸部４５ｃと、一対の係合片４５ａと凸部４５ｃで囲む開口部４５ｂとからなり、開口部４５ｂに表示体取付用支持棒４２を挿入した表示体４１の筒部４３を嵌合する。具体的には、表示体４１が取付けられた表示体取付用支持棒４２に一対の係合片４５ａを弾性変形させて開口部４５ｂ内へ嵌合させる。そのとき、弾性変形をスムーズに行うために凸部４５ｃが一対の係合片４５ａの拡開方向への弾性変形を助長する。逆に、表示体取付用支持棒４２から外すときにも、凸部４５ｃが一対の係合片４５ａの拡開方向への弾性変形を助長することでスムーズに外すことができ、固定金具４４の着脱が容易に行え、様々な表示体４１へ迅速に変更することができる。また、スムーズな着脱により、固定金具４４と接触する筒部４３が摩擦等による破損を抑止することができる。
【００３５】
表示体固定手段３０は、駐輪ラック用支持棒１１の左右の両側または片側のみの端部に配置されており、図１、図３に示すように、表示装置４０を支持するためのものである。本実施形態に係る表示体固定手段３０は、図２、図３に示すように、支持棒取付金具３１と表示体取付金具３２が組み合わせた構成になっており、この表示体固定手段３０を介して駐輪ラック用支持棒１１と表示装置４０が接続されている。具体的には、支持棒取付金具３１の一方の開口部３３ａから駐輪ラック用支持棒１１の端部および駐輪ラック用支持棒１１を支持している駐輪ラック用金具２３が挿入され、支持棒取付金具３１の他方の開口部３３ｂを表示体取付金具３２のフタ３６で覆い、表示体取付金具３２の凹溝３７ａに表示体取付用支持棒４２が挿入されるように構成されている。
【００３６】
支持棒取付金具３１は、図３、図４（ａ）、図６（ａ）に示すように、断面が角形状で内部が中空になっており、それぞれの辺の内面に突部３４ａまたは肉厚部３４ｂが設けられ、このいずれかに挿入した駐輪ラック用支持棒１１および駐輪ラック用金具２３が当接される。その後、支持棒取付金具３１の底面からボルト３５ａを挿入することで駐輪ラック用支持棒１１および駐輪ラック用金具２３が支持棒取付金具３１の突部３４ａまたは肉厚部３４ｂに押し付けられて固定される。言い換えると、駐輪ラック用支持棒１１および駐輪ラック用金具２３の固定には、ボルト３５ａを挿入するだけで支持棒取付金具３１に駐輪ラック用支持棒１１および駐輪ラック用金具２３が固定されるので、作業性が良い。また、支持棒取付金具３１の一部（突部３４ａまたは肉厚部３４ｂ）だけで当接できるため、当接される部分以外は薄肉化され、重量コストが抑えられる。なお、突部３４ａあるいは角部には、後述の表示体取付金具３２を取付けるためのビスホール３４ｃが配置されている。また、支持棒取付金具３１の形状は上記した実施形態のものに限らず、種々のものが考えられる。
【００３７】
例えば、図５（ａ）、図６（ｂ）に示すように、駐輪ラック用支持棒１１と同じ断面の支持棒取付金具３１を取り付けても良い。この例では、駐輪ラック用支持棒１１と支持棒取付金具３１を同じ断面にすることによって、意匠性が良い。なお、図４（ａ）と同様に突部３４ａおよび肉厚部３４ｂが配置されているが、駐輪ラック用支持棒１１と同じ断面にすることで、より当接する箇所が増え、駐輪ラック用支持棒１１を強固に固定ができる。なお、上述した実施形態は上記と同じ部材には同一の符号を付して重複する説明は省略する。
【００３８】
表示体取付金具３２は、図３、図４（ｂ）、図６（ａ）に示すように、支持棒取付金具３１の他方の開口部３３ｂを覆うフタ３６と表示体取付用支持棒４２を支持する一部が開放された断面コ字形の凹溝３７ａからなる。本実施形態に係るフタ３６は、支持棒取付金具３１のビスホール３４ｃにネジ３５ｃによって支持棒取付金具３１の他方の開口部３３ｂに取り付けられている。また、凹溝３７ａの開口側から表示体取付用支持棒４２を挿入し、表示体取付用支持棒４２の任意の高さ位置で、ボルト３５ｂが挿入される挿入面３８からボルト３５ｂを凹溝３７ａ内に挿入することで表示体取付用支持棒４２が表示体取付金具３２に押し付けられて固定される。その際、挿入面３８のボルト受け位置の中心３８ａは、挿入面３８に対向する表示体取付用支持棒４２が圧接される圧接面３９の中心３９ａより凹溝３７ａの開口側に設けられているため、表示体取付用支持棒４２は、挿入面３８から挿入されたボルト３５ｂによって圧接面３９に押し付けられていくと、ボルト受け位置の中心３８ａから圧接する中心３９ａ側へ入り込む作用（図４（ｂ）の矢印方向）によって、凹溝３７ａの開口側より内部へ表示体取付用支持棒４２が押し付けられるように圧接されるため、表示体取付用支持棒４２が凹溝３７ａの開口側から外れ難く、強風等による表示体取付用支持棒４２の脱落、破損を防ぐ。また、表示体取付用支持棒４２は、ボルト３５ｂを挿入するだけで凹溝３７ａに表示体取付用支持棒４２が固定されるので、作業性が良い。また、一部が開放されている形状のため、開口側から表示体取付用支持棒４２の着脱が容易に行え、様々な表示体４１へ迅速に変更することができ、例えば、自転車競技会場や商業施設等での広告や案内表示等、用途に合わせた使用ができる。なお、表示体取付金具３２の形状は上記した実施形態のものに限らず、種々のものが考えられる。
【００３９】
例えば、図５（ｂ）、図６（ｂ）に示すように、表示体取付金具３２の凹溝３７ａの断面を筒状にしても良い。この例では、表示体取付用支持棒４２を支持する断面が筒形の孔３７ｂになっていて一部が開放されていないので、より強度が必要な表示体４１の設置に適している。なお、図６（ｂ）に示すように、垂直方向に孔３７ｂによる開口があるため、垂直方向から表示体取付用支持棒４２の着脱が行えるので、図４（ｂ）と同様に様々な表示体４１へ変更することができる。なお、上述した実施形態は上記と同じ部材には同一の符号を付して重複する説明は省略する。
【００４０】
なお、表示体固定手段３０は、駐輪ラック用支持棒１１の左右の両側または片側のみの端部に配置され、表示装置４０を支持するものであれば良く、上記した実施形態のものに限らず、種々のものが考えられる。
【００４１】
例えば、図７、図８に示すように、表示体固定手段３０の支持棒取付金具３１と表示体取付金具３２を一体化した表示体固定手段３０’にしても良い。具体的には、表示体固定手段３０’の一方の開口部３３ａから駐輪ラック用支持棒１１を挿入し、上面に開けられた孔３７ｂから表示体取付用支持棒４２を挿入する。すなわち、１つの金具で駐輪ラック用支持棒１１と表示体取付用支持棒４２のどちらの支持棒も支持することができる。なお、挿入された駐輪ラック用支持棒１１を固定するのは、前述の表示体固定手段３０と同様に表示体固定手段３０’の底面からボルト３５ａにより固定することができる。また、図７（ａ）、図７（ｂ）に示すように、表示体取付用支持棒４２は、他方の開口部３３ｂを覆うフタ３６側からネジ３５ｂで固定することにより、図８に示すように、側面への突出がなくなり、意匠性が良い。さらに、図７（ａ）、図７（ｃ）に示すように、孔３７ｂに他方の開口部３３ｂに向けて開口した壺型の切欠きを設けることで表示体取付用支持棒４２の一部がフタ３６に接触することができるため、ネジ３５ｂで締め付けて固定することにより表示体取付用支持棒４２とフタ３６が密着し易く、ガタツキ等を抑え、より強固に固定することができる。なお、上述した実施形態は上記と同じ部材には同一の符号を付して重複する説明は省略する。
【００４２】
上記した自転車用携帯駐輪ラック１０を折り畳み状態から使用状態へと変形するときは、左右の駐輪ラック用金具２３および脚部２０を駐輪ラック用支持棒１１に対して約２７０度回転させ、一対の棒状部材２１を開き、開き防止機構２２を所定の状態にすることで自転車を駐輪することができる。さらに、自転車の台数により駐輪ラック用支持棒１１を伸ばすことで複数の自転車を駐輪することができる。その後、表示体固定手段３０、３０’を介して駐輪ラック用支持棒１１および表示体取付用支持棒４２、４２’を固定する。固定された表示体取付用支持棒４２、４２’に表示体４１、４１’を取付けることで、自転車用携帯駐輪ラック１０に表示装置４０、４０’が取付けられ、駐輪と看板装置を兼ね備えることができる。以上で設置が完了する。
【００４３】
なお、自転車用携帯駐輪ラック１０を折り畳む際には、上記の手順を逆から実行すれば良い。すなわち、表示体４１、４１’を表示体取付用支持棒４２、４２’から外し、駐輪ラック用支持棒１１から表示体固定手段３０、３０’を外して表示装置４０、４０’を自転車用携帯駐輪ラック１０から取り外す。その後、駐輪ラック用支持棒１１を収縮させ、一対の棒状部材２１を閉じて、左右の駐輪ラック用金具２３および脚部２０を駐輪ラック用支持棒１１に対して折り畳み方向に約２７０度回転させれば良い。
【００４４】
以上説明したように、本実施形態によれば、自転車のサドル６０を引っ掛けて支持可能な駐輪ラック用支持棒１１と、駐輪ラック用支持棒１１の左右に配置された折り畳み可能な脚部２０と、駐輪ラック用支持棒１１に取付けられた表示体固定手段３０、３０’と、表示体固定手段３０、３０’に取付けられた表示装置４０、４０’と、を備えているため、ロードバイク等の自立式スタンドを持たない自転車を駐輪することができ、かつ、折り畳めることで持ち運びが可能な自転車用携帯駐輪ラック１０に表示装置４０、４０’が取付けられるので、自転車競技会場や商業施設等での広告や案内表示といった看板装置を兼ね備え、使い勝手が良い。また、表示体固定手段３０、３０’は、駐輪ラック用支持棒１１の両側または片側の端部に接続されているため、両側での支持または片側のみでの支持等、様々な表示体４１、４１’に対応ができ、使い勝手が良い。
【００４５】
また、表示装置４０、４０’は、表示体４１、４１’と表示体取付用支持棒４２、４２’と、を備え、表示体取付用支持棒４２、４２’の上方は、表示体４１、４１’を支持し、表示体取付用支持棒４２、４２’の下方は、表示体固定手段３０、３０’に接続されているため、少ない部品点数で表示体４１、４１’が支持できるので、コストが抑えられる。
【００４６】
また、表示体４１は、表示体固定手段３０、３０’を介して駐輪ラック用支持棒１１の上方に水平に設置され、駐輪ラック用支持棒１１と表示体４１との間には空間Ｓが設けられているため、自転車のサドル６０を駐輪ラック用支持棒１１に引っ掛けて駐輪をしても、表示体４１に自転車のサドル６０が接触しないだけの空間Ｓがあるので、自転車の駐輪を妨げず、使い勝手が良い。
【００４７】
また、表示体固定手段３０、３０’は、一方の開口部３３ａから駐輪ラック用支持棒１１の両側または片側の端部を挿入し、底面から内部へ進入可能なボルト３５ａで駐輪ラック用支持棒１１を固定するため、挿入した駐輪ラック用支持棒１１にボルト３５ａを押し付けるだけで強固に固定ができるので作業性が良い。また、底面からボルト３５ａで固定するので、外部から視認し難い位置で固定するため、意匠性が良く、かつ、駐輪した自転車に接触し難いので、接触による傷を防ぐことができる。
【００４８】
また、表示体固定手段３０、３０’は、表示体取付用支持棒４２、４２’を受ける凹溝３７ａまたは孔３７ｂを備え、凹溝３７ａの開口側または孔３７ｂから表示体取付用支持棒４２、４２’を挿入し、ボルト３５ｂで表示体取付用支持棒４２、４２’を固定するため、ボルト３５ｂを表示体取付用支持棒４２、４２’に押し付けるだけで固定ができるので作業性が良い。また、凹溝３７ａの開口側または孔３７ｂから表示体取付用支持棒４２、４２’の着脱が容易に行え、様々な表示体４１、４１’へ迅速に変更することができ、利便性がある。また、ネジ３５ｂで表示体取付用支持棒４２、４２’を強固に固定することもできる。これにより、挿入した表示体取付用支持棒４２、４２’が表示体固定手段３０、３０’から外れ難く、強風等による表示体取付用支持棒４２、４２’の脱落、破損を防ぐ。
【００４９】
また、凹溝３７ａのボルト受け位置の中心３８ａは、凹溝３７ａの表示体取付用支持棒４２、４２’が圧接する中心３９ａより凹溝３７ａの開口側に設けられているため、ボルト３５ｂを締め込んで表示体取付用支持棒４２、４２’が圧接する時に、ボルト受け位置の中心３８ａから表示体取付用支持棒４２、４２’が圧接する中心３９ａ側へ入り込む作用によって、凹溝３７ａの開口側より内部への進入と圧接ができ、表示体取付用支持棒４２、４２’が表示体固定手段３０、３０’から外れ難く、強風等による表示体取付用支持棒４２、４２’の脱落、破損を防ぐ。
【００５０】
また、表示体４１、４１’は、両側または片側の端部に表示体取付用支持棒４２、４２’を取付ける下面が開口し、上面が閉口した袋状の筒部４３、４３’を備えた横幕または幟旗であり、表示体取付用支持棒４２、４２’を筒部４３、４３’の上面まで挿入しているため、筒部４３、４３’の上面に当接するだけで表示体４１、４１’の位置決めができ、作業性が良い。また、表示体取付用支持棒４２、４２’を挿入するだけで横幕または幟旗を張設するため、様々な表示体４１，４１’へ迅速に変更することができ、利便性がある。また、筒部４３、４３’の上面から表示体取付用支持棒４２、４２’が突き抜けないので、表示体４１、４１’がずり落ちて駐輪ラック用支持棒１１と表示体４１、４１’との空間Ｓが狭くなることを防止でき、自転車の駐輪を妨げず、使い勝手が良い。
【００５１】
また、表示体取付用支持棒４２、４２’に挿入した筒部４３、４３’は、弾性変形可能な固定金具４４が取付けられているため、強固な表示体４１、４１’の取付けができ、強風等による表示体４１、４１’の脱落、破損を防ぐ。
【００５２】
また、固定金具４４は、断面が略Ｃ字形であり、弾性変形する一対の係合片４５ａと、一対の係合片４５ａを連結する凸部４５ｃとからなり、固定金具４４を筒部４３、４３’から着脱するときに一対の係合片４５ａの弾性変形を凸部４５ｃが調整するため、凸部４５ｃの拡開方向への助長により着脱が容易に行え、様々な表示体４１、４１’へ迅速に変更することができ、利便性がある。また、スムーズな着脱により、固定金具４４と接触する筒部４３、４３’が摩擦等による破損を抑止することができる。
【符号の説明】
【００５３】
１０  自転車用携帯駐輪ラック
１１  駐輪ラック用支持棒
１２  外棒
１３  内棒
２０  脚部
２１  棒状部材
２２  開き防止機構
２３  駐輪ラック用金具
３０、３０’  表示体固定手段
３１  支持棒取付金具
３２  表示体取付金具
３３ａ  一方の開口部
３３ｂ  他方の開口部
３４ａ  突部
３４ｂ  肉厚部
３４ｃ  ビスホール
３５ａ  ボルト
３５ｂ  ボルト、ネジ
３５ｃ  ネジ
３６  フタ
３７ａ  凹溝
３７ｂ  孔
３８  挿入面
３８ａ  中心
３９  圧接面
３９ａ  中心
４０、４０’  表示装置
４１、４１’  表示体
４２、４２’  表示体取付用支持棒
４３、４３’  筒部
４４  固定金具
４５ａ  係合片
４５ｂ  開口部
４５ｃ  凸部
６０  サドル
Ｓ  空間
【図１】
2019043536.tif 000003
【図２】
2019043536.tif 000004
【図３】
2019043536.tif 000005
【図４】
2019043536.tif 000006
【図５】
2019043536.tif 000007
【図６】
2019043536.tif 000008
【図７】
2019043536.tif 000009
【図８】
2019043536.tif 000010
【図９】
2019043536.tif 000011
【図１０】
2019043536.tif 000012
【図１１】
2019043536.tif 000013
【図１２】
2019043536.tif 000014